(57)【要約】【課題】水道検針システムの電池の寿命を気にしないですみ、且つ他の商用電源の配線も不要な電源を供給することにある。【解決手段】水道管に接続される筺体と、筺体に回転軸が軸支された回転翼と、前記回転軸で駆動される発電機とを有し、流量測定される水道水を前記筺体内に導入し、前記の被測定水道水の流体エネルギーで前記回転翼を回転することで前記発電機の発電させ、前記流量測定を行う水道検針システムの電源を充電することを特徴とする。【選択図】図１ 
2005164319.tif 000002
【特許請求の範囲】
【請求項１】
水道管に接続される筺体と、筺体に回転軸が軸支された回転翼と、前記回転軸で駆動される発電機とを有し、流量測定される水道水を前記筺体内に導入し、前記の被測定水道水の流体エネルギーで前記回転翼を回転することで前記発電機で発電させ、前記流量測定を行う水道検針システムの電源を充電することを特徴とする水道水検針装置用自己発電電源。
【請求項２】
前記の回転翼は、軸流式羽根車又は、接線流式羽根車であることを特徴とする請求項１記載の水道水検針装置用自己発電電源。
【請求項３】
前記水道水検針装置用自己発電電源と前記流量測定のための水道センサー部とを一体構成されたことを特徴とする請求項１又は請求項２記載の水道水検針装置用自己発電電源。
【請求項４】
水道水の流量測定する流量センサーと、前記流量測定のデータを制御或いは記憶するコンピュータ及びメモリと、前記データを無線送信するための無線送信機とを少なくとも含む水道検針システムと、水道管に接続される筺体と、前記筺体に回転軸が軸支された回転翼と、前記回転軸で駆動される発電機とを有し、前記流量測定される前記水道水を前記筺体内に導入し、前記の被測定水道水の流体エネルギーで前記回転翼を回転することで前記発電機で発電し、前記流量測定を行う前記水道検針システムの電源を充電する水道水検針装置用自己発電電源とを有することを特徴とする水道水自動検針システム。
【請求項５】
前記の回転翼は、軸流式羽根車又は、接線流式羽根車であることを特徴とする請求項４記載の水道水自動検針システム。
【請求項６】
前記水道検針システムと、前記水道水検針装置用自己発電電源とが一体構成されたことを特徴とする請求項４又は請求項５記載の水道水自動検針システム。
【発明の詳細な説明】
【技術分野】
【０００１】
本発明は、水道水の使用量を測定する系統の電子回路用の電源を、水道水の流れからエネルギーを得る自己発電により供給する水道水検針装置用自己発電電源及びこれを利用した水道水自動検針システム関するものである。
【背景技術】
【０００２】
従来、水道水の使用量は、巡回する人手による検針が多かったが、近年は、コンピュータ技術の発展と、電子的な水道メータが使用されるに及んで、検針センターのコンピュータからの指令で、自動検針が行われるようになった。自動検針の技術の例は、特許文献１及び特許文献２に見ることが出来る。水道メータは、家屋等の建物から少し離れて設置されていることが多いので、商用電源を接続することが少なく、ほとんどの水道メータには、リチウム電池などの電池が内蔵されている。このため、電池の容量から、８年程度で交換をしなければならず、水道メータの設置個数が多いので、管理が面倒になって来ている。このような、水道検針システムの例を図３に示す。図３において、水道管に接続されて水道水の流量を検知する流量センサー３１の出力形態は、羽根車の回転をパルスとして取り出すようなデジタル量のものと、電磁流量計のように流速に比例した起電力を出すようなアナログ量のものがある。アナログ量の場合は、一旦、ＡＤコンバータ３２でデジタル量に変換して、コンピュータ３３に取り込まれ、メモリー３４に記憶される。データは、必要に応じ、表示制御器３５を経由して、ＬＣＤ等の表示器３６に表示される。検針のデータは、コンピュータ３３と、無線送信機３７を経由して近くにある無線端末３８に無線送信される。例えば、月に１回とかの適当な間隔で、検針センターコンピュータ３９からの指示で、検針データが読み込まれる。流量センサー３１から無線送信機３７までは、水道メータシステムとして１集団としてつくられ、電源３０で駆動されていて、電源３０は、リチウム電池が主に使用されている。
【特許文献１】特開２００２−８１９７３
【特許文献２】特開平９−９６５５３
【発明の開示】
【発明が解決しようとする課題】
【０００３】
本発明が解決しようとする課題は、上記の水道検針システムの電池の寿命を気にしないですみ、且つ他の商用電源の配線も不要な電源とこれを利用した検診システムを提供することにある。
【課題を解決するための手段】
【０００４】
本発明は、水道水の流れを利用して、水力発電し、検針システムに電力を供給するものであり、言わば、被測定物によるエネルギーを使った自己電源なので、他の電源は全く不要である。
【０００５】
請求項１記載の発明は、水道水検針装置用自己発電電源であって、水道管に接続される筺体と、筺体に回転軸が軸支された回転翼と、前記回転軸で駆動される発電機とを有し、流量測定される水道水を前記筺体内に導入し、前記の被測定水道水の流体エネルギーで前記回転翼を回転することで前記発電機で発電させ、前記流量測定を行う水道検針システムの電源を充電することを特徴とする。
【０００６】
請求項２記載の発明は、請求項１記載の水道水検針装置用自己発電電源において、前記の回転翼は、軸流式羽根車又は、接線流式羽根車であることを特徴とする。
【０００７】
請求項３記載の発明は、請求項１又は請求項２記載の水道水検針装置用自己発電電源において、前記水道水検針装置用自己発電電源と前記流量測定のための水道センサー部とを一体構成されたことを特徴とする。
【０００８】
請求項４記載の発明は、水道水自動検針システムであって、水道水の流量測定する流量センサーと、前記流量測定のデータを制御或いは記憶するコンピュータ及びメモリと、前記データを無線送信するための無線送信機とを少なくとも含む水道検針システムと、水道管に接続される筺体と、前記筺体に回転軸が軸支された回転翼と、前記回転軸で駆動される発電機とを有し、前記流量測定される前記水道水を前記筺体内に導入し、前記の被測定水道水の流体エネルギーで前記回転翼を回転することで前記発電機で発電し、前記流量測定を行う前記水道検針システムの電源を充電する水道水検針装置用自己発電電源とを有することを特徴とする。
【０００９】
請求項５記載の発明は、請求項４記載の水道水自動検針システムにおいて、前記の回転翼は、軸流式羽根車又は、接線流式羽根車であることを特徴とする。
【００１０】
請求項６記載の発明は、請求項４又は請求項５記載の水道水自動検針システムにおいて、前記水道検針システムと、前記水道水検針装置用自己発電電源とが一体構成されたことを特徴とする。
【発明の効果】
【００１１】
以上の様に構成されているので、被測定物によるエネルギーを使った自己電源が可能となり、他の電源は全く不要である。又、電池の寿命の心配も不要となる。
【発明を実施するための最良の形態】
【００１２】
本発明による水道水検針装置用自己発電電源は、水道管に接続して使用され、水道水の流速に対応して回転する羽根車を有し、羽根車の回転で発電機を回し、発電を行うが、水道メータと一体に作られると、配線が不要となり最も効率のよい形態となる。以下、本発明について説明する。
【実施例１】
【００１３】
図１は、本発明による水道水検針装置用自己発電電源の一実施態様を示す図である。図１は、軸流式羽根車１１を有する例であって、水道水が入力部１２から入って、出力部１３から抜けてゆく。その間に、筺体１４に軸支された軸流式羽根車１１を回転させ、回転は回転軸１５により発電機１６に伝えられ発電が行われる。発電出力がリード線１７から取り出され、近傍の検針システムのリチウム電池他の二次電池に与えられ充電する。水を使う毎に発電電力が二次電池に蓄えられるので、いつまでも電力が減ることが無く、電池寿命の心配は全く無い。又、リード線の配線も最小限ですむ。
【実施例２】
【００１４】
図２は、本発明による水道水検針装置用自己発電電源の一実施態様を示す図である。図２は、接線流式羽根車２１を有する例であって、水道水が入力部１２から入って、出力部１３から抜けてゆく。その間に、筺体１４に軸支された接線流式羽根車２１を回転させ、回転は回転軸１５により発電機１６に伝えられ、発電出力がリード線１７から取り出され、近傍の検針システムのリチウム電池他の二次電池に与えられ充電する。水を使う毎に発電電力が二次電池に蓄えられるので、いつまでも電力が減ることが無く、電池寿命の心配は全く無い。又、リード線の配線も最小限ですむ。
【００１５】
以上の例では、発電機の出力は、直接二次電池を充電しているようにみえるが、発電機出力は脈流であり、整流と平滑と電圧を決める回路を経由していることは当然である。
水道水検針装置用自己発電電源は、特に電子的水道検針システムの水道メータと一体に形成すると効果的である。
【産業上の利用可能性】
【００１６】
以上のような水道水検針装置用自己発電電源は、水道水という被測定物によるエネルギーを水力発電で電力変換した自己発電電源なので、他の電源は全く不要であり、電子的水道検針システム、とりわけ、無線を利用した自動検針システムに供給する電源として最適である。
【図面の簡単な説明】
【００１７】
【図１】本発明に係る水道水検針装置用自己発電電源の一実施態様を示す図である。
【図２】本発明に係る水道水検針装置用自己発電電源の別の実施態様を示す図である。
【図３】従来の水道自動検針システムの例を示す図である。
【符号の説明】
【００１８】
１１  軸流式羽根車
１２  入力部
１３  出力部
１４  筺体
１５  回転軸
１６  発電機
１７  リード線
２１  接線流式羽根車
３１  流量センサー
３２  ＡＤコンバータ
３３  コンピュータ
３４  メモリー
３５  表示制御器
３６  表示器
３７  無線送信機
３８  無線端末
３９  検針センターコンピュータ
【図１】
2005164319.tif 000003
【図２】
2005164319.tif 000004
【図３】
2005164319.tif 000005